【手続補正書】
【提出日】平成27年1月28日(2015.1.28)
【手続補正１】
【補正対象書類名】明細書
【補正対象項目名】発明の名称
【補正方法】変更
【補正の内容】
【発明の名称】画像処理装置、画像処理方法、およびプログラム
【手続補正２】
【補正対象書類名】明細書
【補正対象項目名】０００１
【補正方法】変更
【補正の内容】
【０００１】
本発明は、画像処理装置、画像処理方法、およびプログラムに関し、特に、記録する画像の濃度ないし色についてのキャリブレーションを行う画像処理装置、画像処理方法、およびプログラムに関する。
【手続補正３】
【補正対象書類名】明細書
【補正対象項目名】０００７
【補正方法】変更
【補正の内容】
【０００７】
本発明は以上の点を鑑みてなされたものであり、濃度センサを用いたキャリブレーションにおいて、高精度なキャリブレーションを実行することができる画像処理装置、画像処理方法、およびプログラムを提供することを目的とする。
【手続補正４】
【補正対象書類名】明細書
【補正対象項目名】０００８
【補正方法】変更
【補正の内容】
【０００８】
そのために本発明では、画像データに基づき記録を行う記録手段によって記録材の量を異ならせて記録媒体上に記録された階調パターンの濃度を、所定の波長域の光を発する光源を用いた光学センサにより測定し、該測定された濃度である測定濃度と前記階調パターンの目標の記録濃度である目標濃度とに基づいて、前記記録手段による記録に用いられる画像データの出力値を補正する出力補正手段を備える画像処理装置であって、前記出力補正手段は、中間調より低い所定の階調値である境界階調値以下の階調の出力値の補正において、それぞれの階調における前記目標濃度と前記測定濃度に基づいてそれぞれの階調における出力値の補正量を決定し、前記境界階調値より大きく最大階調までの出力値の補正において、前記境界階調値における前記目標濃度と前記測定濃度に基づいて出力値の補正量を決定する、ことを特徴とする。
【手続補正５】
【補正対象書類名】特許請求の範囲
【補正対象項目名】全文
【補正方法】変更
【補正の内容】
【特許請求の範囲】
【請求項１】
画像データに基づき記録を行う記録手段によって記録材の量を異ならせて記録媒体上に記録された階調パターンの濃度を、所定の波長域の光を発する光源を用いた光学センサにより測定し、該測定された濃度である測定濃度と前記階調パターンの目標の記録濃度である目標濃度とに基づいて、前記記録手段による記録に用いられる画像データの出力値を補正する出力補正手段を備える画像処理装置であって、
前記出力補正手段は、
中間調より低い所定の階調値である境界階調値以下の階調の出力値の補正において、それぞれの階調における前記目標濃度と前記測定濃度に基づいてそれぞれの階調における出力値の補正量を決定し、
前記境界階調値より大きく最大階調までの出力値の補正において、前記境界階調値における前記目標濃度と前記測定濃度に基づいて出力値の補正量を決定する、
ことを特徴とする画像処理装置。
【請求項２】
画像データに基づき記録を行う記録手段によって階調に応じて記録材の量を異ならせて記録媒体上に記録された複数の階調パターンの濃度を、所定の波長域の光を発する光源を用いた光学センサにより測定し、該測定された濃度である測定濃度と、記憶部に記憶された、前記複数の階調パターンそれぞれに対応する目標の記録濃度である目標濃度と、に基づいて、前記記録手段による記録に用いられる画像データの出力値を補正する出力補正手段を備える画像処理装置であって、
前記出力補正手段は、
所定の階調値である境界階調値以下の階調の出力値の補正において、それぞれの階調における前記目標濃度と前記測定濃度に基づいてそれぞれの階調における出力値の補正量を決定し、
前記境界階調値より大きい階調であって、当該階調における階調パターンをまたぐ２つの階調の出力値の補正において、前記境界階調値における前記目標濃度と前記測定濃度に基づいて出力値の補正量を決定する、
ことを特徴とする画像処理装置。
【請求項３】
画像データに基づき記録を行う記録手段によって階調に応じて記録材の量を異ならせて記録媒体上に記録された複数の階調パターンの濃度を、所定の波長域の光を発する光源を用いた光学センサにより測定し、該測定された濃度である測定濃度と、記憶部に記憶された、前記複数の階調パターンそれぞれに対応する目標の記録濃度である目標濃度と、に基づいて、前記記録手段による記録に用いられる画像データの出力値を補正する出力補正手段を備える画像処理装置であって、
前記出力補正手段は、
所定の階調値である境界階調値以下の階調の出力値の補正において、それぞれの階調における前記目標濃度と前記測定濃度に基づいてそれぞれの階調における出力値の補正量を決定し、
前記境界階調値より大きい階調のすべての階調の出力値の補正において、前記境界階調値における前記目標濃度と前記測定濃度に基づいて出力値の補正量を決定する、
ことを特徴とする画像処理装置。
【請求項４】
前記出力補正手段は、前記境界階調値より大きい階調における出力値の補正前後の出力値の記録量の比が、前記境界階調値の出力値の補正前後の出力値の比となるように、前記境界階調値より大きい階調における出力値の補正量を決定することを特徴とする請求項１から３のいずれか１項に記載の画像処理装置。
【請求項５】
階調パターンは所定の１色の記録材の量を異ならせて記録され、かつ複数の階調パターンは色の異なる複数種類の記録材にそれぞれに対応して記録され、
前記出力補正手段は、前記複数の階調パターンに基づいて前記記録手段による記録に用いられる前記複数種類の記録材それぞれに応じた画像データの出力値を補正し、
前記境界階調値は、記録材の種類により異なる、
ことを特徴とする請求項１から４のいずれか１項に記載の画像処理装置。
【請求項６】
前記記録材は所定の波長の光を受光した場合に蛍光を発する蛍光物質を含有することを特徴とする請求項１から５のいずれか１項に記載の画像処理装置。
【請求項７】
前記記録材はインクであることを特徴とする請求項１から６のいずれか１項に記載の画像処理装置。
【請求項８】
前記記録手段をさらに備えることを特徴とする請求項１から７のいずれか１項に記載の画像処理装置。
【請求項９】
画像データに基づき記録を行う記録手段によって記録材の量を異ならせて記録媒体上に記録された階調パターンの濃度を、所定の波長域の光を発する光源を用いた光学センサにより測定し、該測定された濃度である測定濃度と前記階調パターンの目標の記録濃度である目標濃度とに基づいて、前記記録手段による記録に用いられる画像データの出力値を補正する出力補正工程を含む画像処理方法であって、
前記出力補正工程において、
中間調より低い所定の階調値である境界階調値以下の階調の出力値の補正には、それぞれの階調における前記目標濃度と前記測定濃度に基づいてそれぞれの階調における出力値の補正量が決定され、
前記境界階調値より大きく最大階調までの出力値の補正には、前記境界階調値における前記目標濃度と前記測定濃度に基づいて出力値の補正量が決定される、
ことを特徴とする画像処理方法。
【請求項１０】
画像データに基づき記録を行う記録手段によって階調に応じて記録材の量を異ならせて記録媒体上に記録された複数の階調パターンの濃度を、所定の波長域の光を発する光源を用いた光学センサにより測定し、該測定された濃度である測定濃度と、記憶部に記憶された、前記複数の階調パターンそれぞれに対応する目標の記録濃度である目標濃度と、に基づいて、前記記録手段による記録に用いられる画像データの出力値を補正する出力補正工程を含む画像処理方法であって、
前記出力補正工程において、
所定の階調値である境界階調値以下の階調の出力値の補正には、それぞれの階調における前記目標濃度と前記測定濃度に基づいてそれぞれの階調における出力値の補正量が決定され、
前記境界階調値より大きい階調であって、当該階調における階調パターンをまたぐ２つの階調の出力値の補正には、前記境界階調値における前記目標濃度と前記測定濃度に基づいて出力値の補正量が決定される、
ことを特徴とする画像処理方法。
【請求項１１】
画像データに基づき記録を行う記録手段によって階調に応じて記録材の量を異ならせて記録媒体上に記録された複数の階調パターンの濃度を、所定の波長域の光を発する光源を用いた光学センサにより測定し、該測定された濃度である測定濃度と、記憶部に記憶された、前記複数の階調パターンそれぞれに対応する目標の記録濃度である目標濃度と、に基づいて、前記記録手段による記録に用いられる画像データの出力値を補正する出力補正工程を含む画像処理方法であって、
前記出力補正工程において、
所定の階調値である境界階調値以下の階調の出力値の補正には、それぞれの階調における前記目標濃度と前記測定濃度に基づいてそれぞれの階調における出力値の補正量が決定され、
前記境界階調値より大きい階調のすべての階調の出力値の補正には、前記境界階調値における前記目標濃度と前記測定濃度に基づいて出力値の補正量が決定される、
ことを特徴とする画像処理方法。
【請求項１２】
前記出力補正工程において、前記境界階調値より大きい階調における出力値の補正前後の出力値の記録量の比が、前記境界階調値の出力値の補正前後の出力値の比となるように、前記境界階調値より大きい階調における出力値の補正量が決定されることを特徴とする請求項９から１１のいずれか１項に記載の画像処理方法。
【請求項１３】
階調パターンは所定の１色の記録材の量を異ならせて記録され、かつ複数の階調パターンは色の異なる複数種類の記録材にそれぞれに対応して記録され、
前記出力補正工程において、前記複数の階調パターンに基づいて前記記録手段による記録に用いられる前記複数種類の記録材それぞれに応じた画像データの出力値が補正され、
前記境界階調値は、記録材の種類により異なる、
ことを特徴とする請求項９から１２のいずれか１項に記載の画像処理方法。
【請求項１４】
前記記録材は所定の波長の光を受光した場合に蛍光を発する蛍光物質を含有することを特徴とする請求項９から１３のいずれか１項に記載の画像処理方法。
【請求項１５】
前記記録材はインクであることを特徴とする請求項９から１４のいずれか１項に記載の画像処理方法。
【請求項１６】
前記記録手段に記録を行わせる記録工程をさらに含むことを特徴とする請求項９から１５のいずれか１項に記載の画像処理方法。
【請求項１７】
請求項９から請求項１６のいずれか１項に記載の画像処理方法をコンピュータに実行させるためのプログラム。